(57)【要約】【課題】改札通路の流動阻害を改善し、改札効率を向上することが可能な改札機及び改札方法を提供することを目的とする。【解決手段】  改札通路の上流側に配置され券媒体との間で無線通信を行う第１無線通信処理ユニット１１０と、第１無線通信処理ユニット１１０より改札通路の下流側に配置され券媒体との間で無線通信を行う第２無線通信処理ユニット１２０と、を備え、ＣＰＵ６０は、第１無線通信処理ユニット１１０及び第２無線通信処理ユニット１２０の少なくとも一方による無線通信処理によって券媒体から読み取られた改札処理に必要な改札情報に基づいて改札処理を行う。【選択図】      図３
2008084178.tif 000002
【特許請求の範囲】
【請求項１】
改札通路の上流側に配置され、券媒体との間で無線通信を行う第１通信手段と、
前記第１通信手段より改札通路の下流側に配置され、券媒体との間で無線通信を行う第２通信手段と、
前記第１通信手段及び前記第２通信手段の少なくとも一方による無線通信処理によって券媒体から読み取られた改札処理に必要な改札情報に基づいて改札処理を行う改札手段と、
を備えたことを特徴とする改札機。
【請求項２】
改札通路の上流側に配置され、券媒体との間で無線通信を行う第１通信手段と、
前記第１通信手段より改札通路の下流側に配置され、前記第１通信手段による前記券媒体との無線通信処理が未了の場合に、前記券媒体との間で無線通信を行う第２通信手段と、
前記第１通信手段及び前記第２通信手段の少なくとも一方による無線通信処理によって前記券媒体から読み取られた改札処理に必要な改札情報に基づいて改札処理を行う改札手段と、
を備えたことを特徴とする改札機。
【請求項３】
改札通路の上流側に配置され、券媒体との間で無線通信を行って少なくとも前記券媒体から券媒体固有の識別情報を読み取る第１通信手段と、
前記第１通信手段より改札通路の下流側に配置され、前記第１通信手段による前記券媒体との無線通信処理が未了の場合に、前記券媒体との間で無線通信を行って前記券媒体から券媒体固有の識別情報を読み取り、前記第１通信手段によって読み取られた識別情報と一致したのに基づいて前記券媒体との間で無線通信処理を行う第２通信手段と、
前記第１通信手段及び前記第２通信手段の少なくとも一方による無線通信処理によって前記券媒体から読み取られた改札処理に必要な改札情報に基づいて改札処理を行う改札手段と、
を備えたことを特徴とする改札機。
【請求項４】
さらに、前記第１通信手段による前記券媒体との無線通信処理が未了の場合に、前記第２通信手段による無線通信が可能であることを報知する報知手段を備えたことを特徴とする請求項１乃至３のいずれか１項に記載の改札機。
【請求項５】
さらに、前記第２通信手段によって読み取られた識別情報が前記第１通信手段によって読み取られた識別情報と一致しなかったのに基づき改札通路を閉鎖するとともに、前記改札手段による改札通路の通行を許可する旨の判定結果に基づいて改札通路を開放するドア機構を備えたことを特徴とする請求項１乃至３のいずれか１項に記載の改札機。
【請求項６】
改札通路の上流側に配置された第１通信手段により券媒体との間で無線通信を行い、
前記第１通信手段より改札通路の下流側に配置された第２通信手段により券媒体との間で無線通信を行い、
前記第１通信手段及び前記第２通信手段の少なくとも一方による無線通信処理によって券媒体から読み取られた改札処理に必要な改札情報に基づいて改札処理を行う、
ことを特徴とする改札方法。
【請求項７】
改札通路の上流側に配置された第１通信手段により券媒体との間で無線通信を行い、
前記第１通信手段による前記券媒体との無線通信処理が未了の場合に、前記第１通信手段より改札通路の下流側に配置された第２通信手段により前記券媒体との間で無線通信を行い、
前記第１通信手段及び前記第２通信手段の少なくとも一方による無線通信処理によって前記券媒体から読み取られた改札処理に必要な改札情報に基づいて改札処理を行う、
ことを特徴とする改札方法。
【請求項８】
改札通路の上流側に配置された第１通信手段により券媒体との間で無線通信を行って少なくとも前記券媒体から券媒体固有の識別情報を読み取り、
前記第１通信手段による前記券媒体との無線通信処理が未了の場合に、前記第１通信手段より改札通路の下流側に配置された第２通信手段により前記券媒体との間で無線通信を行って前記券媒体から券媒体固有の識別情報を読み取り、
前記第１通信手段によって読み取られた識別情報と前記第２通信手段によって読み取られた識別情報とが一致するかを判定し、
前記識別情報が一致したのに基づいて、前記第２通信手段により前記券媒体との間で無線通信処理を行い、
前記第１通信手段及び前記第２通信手段の少なくとも一方による無線通信処理によって前記券媒体から読み取られた改札処理に必要な改札情報に基づいて改札処理を行う、
ことを特徴とする改札方法。
【発明の詳細な説明】
【技術分野】
【０００１】
この発明は、改札機及び改札方法に係り、特に、無線式の券媒体を取り扱う改札機に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。
【０００３】
また、近年では、磁気式の券媒体のほかに無線式の券媒体を取り扱う改札機が導入されている。このような無線式対応の改札機は、券媒体との間で無線通信を行い、券媒体から読み取った改札情報に基づいて利用者の通行を許可するか否かの改札処理を行う。券媒体との間で無線通信を行う無線通信ユニットは、通常、改札通路の上流側にのみ設置されている。
【０００４】
このような改札機のうち、改札通路の流動阻害を未然に防止するために、入場及び出場の両方に用いられる改札機において、本体のアンテナに入場用の非接触券がかざされ、又は、タッチされ、その非接触券に対する入場処理が終了したときに、出場用の非接触券の処理を可能とする技術が提案されている（例えば、特許文献１参照）。
【特許文献１】特開２００２−３１２８１２号公報
【発明の開示】
【発明が解決しようとする課題】
【０００５】
ところで、無線式の券媒体（非接触券）を取り扱う改札機においては、無線通信ユニットのアンテナ部による通信エリアに券媒体がかざされなかった場合や、無線通信処理が完了する前に通信エリアから券媒体が離れてしまった場合などでは、無線通信エラー（処理未了）が生じる。このとき、改札機は、再度、改札通路の上流側に設置された無線通信ユニットのアンテナ部に券媒体をかざす旨を案内している。このため、券媒体を所持する利用者は、改札通路内に立ち止まってしまい、また、再度券媒体をアンテナ部にかざすために振り返り、改札通路を逆行するなどして、他の利用者の通行の妨げとなり得る。
【０００６】
この発明は、上述した問題点に鑑みなされたものであって、その目的は、改札通路の流動阻害を改善し、改札効率を向上することが可能な改札機及び改札方法を提供することにある。
【課題を解決するための手段】
【０００７】
この発明の第１の態様による改札機は、
改札通路の上流側に配置され、券媒体との間で無線通信を行う第１通信手段と、
前記第１通信手段より改札通路の下流側に配置され、券媒体との間で無線通信を行う第２通信手段と、
前記第１通信手段及び前記第２通信手段の少なくとも一方による無線通信処理によって券媒体から読み取られた改札処理に必要な改札情報に基づいて改札処理を行う改札手段と、
を備えたことを特徴とする。
【０００８】
この発明の第２の態様による改札方法は、
改札通路の上流側に配置された第１通信手段により券媒体との間で無線通信を行い、
前記第１通信手段より改札通路の下流側に配置された第２通信手段により券媒体との間で無線通信を行い、
前記第１通信手段及び前記第２通信手段の少なくとも一方による無線通信処理によって券媒体から読み取られた改札処理に必要な改札情報に基づいて改札処理を行う、
ことを特徴とする。
【発明の効果】
【０００９】
この発明によれば、改札通路の流動阻害を改善し、改札効率を向上することが可能な改札機及び改札方法を提供することができる。
【発明を実施するための最良の形態】
【００１０】
以下、この発明の一実施の形態に係る改札機及び改札方法について図面を参照して説明する。
【００１１】
図１に示すように、この実施の形態に係る改札システムは、監視装置（あるいは上位機器）として機能するホストコンピュータ１０を備えている。このホストコンピュータ１０は、駅に設置された複数の改札機１００−１、１００−２…と通信回線２０を介して接続されており、これらの改札機１００を監視する。
【００１２】
ホストコンピュータ１０は、装置全体を制御するとともに下位に接続された各種機器を制御するものであって、複数の改札機１００を統括して制御するＣＰＵ１１を有している。このＣＰＵ１１には、メモリ部１２、表示部１３、入力部１４、通信制御部１５などが接続されている。
【００１３】
メモリ部１２は、ホストコンピュータ１０自体及び改札機１００などの下位の機器を制御するための制御データなどの各種データを記憶している。表示部１３は、ホストコンピュータ１０自体の動作状態、下位の機器の動作状態などを表示する。入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１４】
次に、図１に示した改札システムに適用可能な改札機１００の構成について説明する。図２に示すような改札機１００は、利用者が通行可能な改札通路に沿って配置されている。この実施の形態においては、入場処理や出場処理などの改札処理を行う改札機１００で利用可能な券媒体としては、普通乗車券、定期券、特急券、回数券、入場券、プリペイドカードなどの機能を有する少なくとも無線式の券媒体を対象としているが、磁気処理ユニットを搭載した改札機においては磁気式の券媒体も利用可能である。なお、無線式の券媒体とは、改札機１００側との無線通信が可能なＩＣチップを内蔵した携帯電話などの携帯端末機器、ＩＣチップを内蔵したＩＣカードなどである。
【００１５】
これらの券媒体は、券媒体固有の識別情報や、改札処理に必要な改札情報、例えば、利用可能な区間情報、有効期限情報、入場記録情報、出場記録情報、利用者情報などを有している。このような識別情報や改札情報などの各種情報は、無線式券媒体のメモリ部に所定形式で記憶されている。なお、磁気式券媒体では、これらの各種情報はその券面の磁気記録層に所定形式で磁気記録されている。
【００１６】
図２に示すように、改札機１００は、筐体１を備えている。ここでは、無線式及び磁気式の券媒体を利用可能な改札機について説明するが、上述したように、この実施の形態に適用可能な改札機は、少なくとも無線式の券媒体を利用可能に構成されていれば良い。
【００１７】
改札機１００の筐体１は、投入口２、排出口３、報知手段として機能する表示部４、ドア機構５、フレーム６、人間検知センサ７、表示器８、第１通信手段として機能する第１無線通信処理ユニット１１０、第２通信手段として機能する第２無線通信処理ユニット１２０などを備えている。
【００１８】
投入口２は、筐体１における改札通路の上流側（すなわち図２における改札通路の通行方向Ａの上流側）に設けられ、施設内への入場時または施設内からの出場時に投入された券媒体を受け取り可能である。投入口２の近傍には、券媒体の投入を阻止するためのシャッタが設けられている。また、排出口３は、筐体１における改札通路の下流側（すなわち図２における改札通路の通行方向Ａの下流側）に設けられ、投入口２から受け取った券媒体を必要に応じて排出する。
【００１９】
表示部４は、利用者の通行方向Ａに対して筐体１における排出口３の前方に配置され、利用者や係員などに対して種々の案内情報、例えば改札処理の結果に対応した案内画面などを所定の表示パターンで表示する。ドア機構５は、筐体１における改札通路側の側面の両端部に配置され、利用者の通行を制御するために開閉可能に構成されている。このドア機構５は、利用者の通行を可能とする場合（改札処理における判定ＯＫの場合）に改札通路を開放し、また、利用者の通行を阻止する場合（改札処理における判定ＮＧの場合）に改札通路を閉鎖する。
【００２０】
フレーム６は、筐体１の上部に設けられ、改札通路を規定するための仕切りとなる。複数の人間検知センサ７は、筐体１及びフレーム６の改札通路側における側面部に配置され、利用者の通行を検知するための出力信号を出力する。表示器８は、フレーム６に配置され、小児券、無効券、または異常券の投入や、機器の異常など装置の動作状態を報知する。
【００２１】
第１無線通信処理ユニット１１０は、筐体１における改札通路の上流側（すなわち通行方向Ａの上流側）に配置され、無線式券媒体との間で無線通信を行う。第２無線通信処理ユニット１２０は、同一の筐体１における改札通路の下流側（すなわち通行方向Ａの下流側）に配置され、無線式券媒体との間で無線通信を行う。つまり、第２無線通信処理ユニット１２０は、第１無線通信処理ユニット１１０よりも通行方向Ａの下流側に配置されている。
【００２２】
図３に示すように、改札機は、装置全体の制御を司るＣＰＵ６０を備えている。このＣＰＵ６０は、券媒体が有する改札情報に基づいて改札処理を行う改札手段として機能し、さらには、第１無線通信処理ユニット１１０及び第２無線通信処理ユニット１２０の動作状態（無線通信可能または無線通信不能）を制御する機能を有している。
【００２３】
このＣＰＵ６０には、メモリ部６１、表示制御回路６２、ドア制御回路６３、通過検知回路６４、表示器制御回路６５、音声出力制御回路６６などが接続されている。
【００２４】
メモリ部６１は、ＲＯＭ、ＲＡＭ、運賃メモリなどを含んでいる。ＲＯＭは、ＣＰＵ６０の制御プログラムなどを記憶している。ＲＡＭは、制御プログラムのバッファとして情報を記憶するとともに、券媒体から読み取った情報などの各種情報を記憶する。運賃メモリは、入場駅（から設置駅まで）に対応した運賃情報を記憶している。
【００２５】
表示制御回路６２は、操作案内や改札処理の結果に対応した画像を表示するように表示部４を制御する。ドア制御回路６３は、改札処理の結果に対応して改札通路を開閉するようにドア機構５の駆動を制御する。通過検知回路６４は、人間検知センサ７からの出力信号に基づいて改札通路内の利用者を検知する（すなわち、改札通路内に規定された各ゾーン内の利用者の有無やゾーン間の利用者の移動を検知する）。表示器制御回路６５は、改札機の動作状態などに応じたパターンで点灯するように表示器８を制御する。音声出力制御回路６６は、操作案内や改札処理の結果に対応した音声を出力するように報知手段として機能するスピーカ８０を駆動する。
【００２６】
また、ＣＰＵ６０には、磁気式の券媒体を処理する磁気処理ユニット６７、無線式の券媒体を処理する第１無線通信処理ユニット１１０及び第２無線通信処理ユニット１２０などが接続されている。
【００２７】
磁気処理ユニット６７は、シャッタ開閉機構３０、検知器３１、搬送機構３２、読取ヘッド３３、書込ヘッド３４、印刷機構３５、入鋏機構３６などを備えている。
【００２８】
シャッタ開閉機構３０は、投入口２に設けられたシャッタを駆動して、券媒体の投入口２への投入を許可または阻止する。検知器３１は、投入口２から排出口３までの間に規定される搬送経路上に設けられ、投入口２での券媒体の投入状態や、排出口３での券媒体の抜き取り、搬送経路上での券媒体の搬送状態などを検知する。搬送機構３２は、券媒体を搬送経路に沿って搬送する。読取ヘッド３３は、券媒体の磁気記録層に記録されている改札情報を読み取る。書込ヘッド３４は、券媒体の磁気記録層に対して必要に応じて所定の磁気情報を記録する。印刷機構３５は、券媒体に対して必要に応じて日付や改札場所名等の所定の情報を印刷する。入鋏機構３６は、券媒体に対して必要に応じて穿孔を形成する。
【００２９】
第１無線通信処理ユニット１１０及び第２無線通信処理ユニット１２０は、券媒体との間で無線通信を行い、券媒体から識別情報や改札情報などを読み取るとともに、必要な情報を券媒体に書き込む（これらの動作を総称して無線通信処理とする）機能を有している。
【００３０】
すなわち、第１無線通信処理ユニット１１０は、券媒体と無線通信を行うための動作磁界を発生する第１アンテナ部１１３を備え、第１アンテナ部１１３を介して送信するデータの変調及び第１アンテナ部１１３を介して受信したデータの復調を行うように構成されている。第２無線通信処理ユニット１２０は、券媒体と無線通信を行うための動作磁界を発生する第２アンテナ部１２３を備え、第２アンテナ部１２３を介して送信するデータの変調及び第２アンテナ部１２３を介して受信したデータの復調を行うように構成されている。
【００３１】
ＣＰＵ６０は、利用者が所持する各種券媒体からこれらの磁気処理ユニット６７を介して券媒体から読み取った改札情報、あるいは、第１無線通信処理ユニット１１０及び第２無線通信処理ユニット１２０の少なくとも一方によって券媒体から読み取った改札情報に基づいて改札処理を行い、利用者の改札通路の通行を許可できるか否かの判定を行う。
【００３２】
さらに、ＣＰＵ６０には、通信制御部６９などが接続されている。この通信制御部６９は、ＣＰＵ６０の制御に基づき、改札機１００より上位の機器、例えばホストコンピュータ１０との間で情報通信を行う。
【００３３】
図４に示すように、無線式の券媒体Ｃは、第１無線通信処理ユニット１１０または第２無線通信処理ユニット１２０との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３、第１無線通信処理ユニット１１０または第２無線通信処理ユニット１２０との間でアンテナ２０４を介して送信されたデータを受信したりデータを送信したりする通信制御部２０５などが接続されている。
【００３４】
図５に示すように、第１無線通信処理ユニット１１０及び第２無線通信処理ユニット１２０は、それぞれ無線通信可能な状態において、第１アンテナ部１１３及び第２アンテナ部１２３を介して、無線式の券媒体Ｃに対して一定時間の間隔でポーリングコマンド信号を発信している。利用者が券媒体Ｃを第１アンテナ部１１３または第２アンテナ部１２３にかざすと、無線通信によるデータのやり取りが開始される。つまり、このポーリングコマンド信号に対して、券媒体Ｃから返信信号が第１無線通信処理ユニット１１０または第２無線通信処理ユニット１２０に向けて送信される（ポーリングレスポンス）。
【００３５】
そして、第１無線通信処理ユニット１１０または第２無線通信処理ユニット１２０から券媒体Ｃに対して識別情報や改札情報を含むデータの送信を要求する（リードコマンド）。券媒体Ｃの通信制御部２０５は、アンテナ２０４を介してデータ送信要求を受信したのに基づいて、ＣＰＵ２０１の制御に基づきメモリ部２０３に記憶していた識別情報や改札情報を含むデータをアンテナ２０４を介して第１無線通信処理ユニット１１０または第２無線通信処理ユニット１２０に向けて送信する（リードレスポンス）。
【００３６】
第１無線通信処理ユニット１１０または第２無線通信処理ユニット１２０が券媒体Ｃからデータを受信したのに基づき、改札機におけるＣＰＵ６０は、受信したデータに基づいて改札処理を行う（判定）。そして、第１無線通信処理ユニット１１０または第２無線通信処理ユニット１２０は、ＣＰＵ６０における改札処理の結果に相当する判定結果情報矢入場記録または出場記録に対応した情報を含むデータを券媒体Ｃに送信する（判定結果送信、ライトコマンド）。
【００３７】
その後、券媒体Ｃの通信制御部２０５は、アンテナ２０４を介して送信されたライトコマンドを受信したのに基づいて、ＣＰＵ２０１の制御に基づきメモリ部２０３に受信したデータを記憶する。そして、通信制御部２０５は、アンテナ２０４を介してデータが正常に書き込まれ一連の改札処理が完了したことを通知する（ライトレスポンス）。
【００３８】
その後、第１無線通信処理ユニット１１０または第２無線通信処理ユニット１２０は、券媒体Ｃからライトレスポンスを受信したのに基づいて、券媒体Ｃに対して処理を終了するためのクローズコマンドを送信する。券媒体Ｃは、第１無線通信処理ユニット１１０または第２無線通信処理ユニット１２０からのクローズコマンドを受信したのに基づいて、クローズレスポンスを送信する。第１無線通信処理ユニット１１０または第２無線通信処理ユニット１２０は、券媒体Ｃからクローズレスポンスを受信したのに基づいて、改札機におけるＣＰＵ６０に対して一連の無線通信処理が正常に終了した旨を通知する。
【００３９】
このようなデータのやり取りにより、券媒体Ｃと改札機１００における第１無線通信処理ユニット１１０または第２無線通信処理ユニット１２０との間で改札処理に必要な無線通信処理が行われる。
【００４０】
次に、上述した改札機に適用可能な改札方法、特に、無線式の券媒体を利用した改札方法について説明する。
【００４１】
すなわち、図６に示すように、改札機におけるＣＰＵ６０は、通過検知回路６４を制御して人間検知センサ７からの出力信号に基づき、改札通路において通行方向Ａの上流側から改札機１００に接近する利用者を検知したのに基づいて、第１無線通信処理ユニット１１０の第１アンテナ部１１３による無線通信を可能とするように制御する（ＳＴ１）。これにより、第１無線通信処理ユニット１１０は、第１アンテナ部１１３を介して所定の通信エリアにわたって動作磁界を発生し、券媒体に対して一定の間隔でポーリングコマンド信号を発信する。なお、このとき、第２無線通信処理ユニット１２０の第２アンテナ部１２３による無線通信は不能となるように制御されている。
【００４２】
続いて、ＣＰＵ６０は、第１アンテナ部１１３を介して通信エリア内に無線式の券媒体が翳されたのに基づき、第１無線通信処理ユニット１１０を制御して券媒体との間で無線通信処理を行い、図５に示したような券媒体との一連の無線通信処理が完了したか否かを判断する（ＳＴ２）。
【００４３】
すなわち、図５に示したように、券媒体、第１無線通信処理ユニット１１０、及び、ＣＰＵ６０の間で、利用者の改札通路の通行を許可するか否かの判定処理を含めた一連の無線通信処理が行われる。このなかで、券媒体は、リードレスポンスにおいて券媒体固有の識別情報や改札情報を第１無線通信処理ユニット１１０に向けて送信する。そして、ＣＰＵ６０は、第１無線通信処理ユニット１１０が券媒体からクローズレスポンスを受信した旨の通知を受け取ったのに基づいて無線通信処理が正常に終了したと判断する（ＳＴ２、ＹＥＳ）。
【００４４】
これに対して、上述した一連の無線通信処理において、ＣＰＵ６０は、第１無線通信処理ユニット１１０が券媒体からクローズレスポンスを受信する前に券媒体が通信エリアから離間してしまい無線通信処理が未了となったと判断した場合（ＳＴ２、ＮＯ）、第２無線通信処理ユニット１２０の第２アンテナ部１２３による無線通信を可能とするように制御する（ＳＴ３）。これにより、第２無線通信処理ユニット１２０は、第２アンテナ部１２３を介して所定の通信エリアにわたって動作磁界を発生し、券媒体に対して一定の間隔でポーリングコマンド信号を発信する。
【００４５】
続いて、ＣＰＵ６０は、第２アンテナ部１２３を介して通信エリア内に無線式の券媒体が翳されたのに基づき、第２無線通信処理ユニット１２０を制御して券媒体との間で無線通信処理を行う。このとき、まず、ＣＰＵ６０は、第２無線通信処理ユニット１２０による図５に示したような券媒体との一連の無線通信処理のなかで、券媒体からのリードレスポンスにおいて第２無線通信処理ユニット１２０に向けて送信された券媒体固有の識別情報に基づき、先の無線通信処理未了となった券媒体との同一性を判断する（ＳＴ４）。
【００４６】
ＣＰＵ６０は、先に第１無線通信処理ユニット１１０による無線通信処理によって券媒体から読み取った識別情報と、後に第２無線通信処理ユニット１２０による無線通信処理によって券媒体から読み取った識別情報とが一致したと判断したのに基づき（ＳＴ４、ＹＥＳ）、引き続き一連の無線通信処理を行い、完了したか否かを判断する（ＳＴ５）。そして、ＣＰＵ６０は、第２無線通信処理ユニット１２０が券媒体からクローズレスポンスを受信した旨の通知を受け取ったのに基づいて無線通信処理が正常に終了したと判断する（ＳＴ５、ＹＥＳ）。
【００４７】
このような第１無線通信処理ユニット１１０及び第２無線通信処理ユニット１２０の少なくとも一方による無線通信処理において、ＣＰＵ６０は、券媒体から読み取った改札情報に基づいて利用者の通行を許可すると判定したのに基づいて（ＳＴ６、ＹＥＳ）、ドア制御回路６３を介してドア機構５を制御して改札通路を開放する（ＳＴ７）。一方、ＣＰＵ６０は、券媒体から読み取った改札情報に基づいて利用者の通行を許可しないと判定したのに基づいて（ＳＴ６、ＮＯ）、ドア制御回路６３を介してドア機構５を制御して改札通路を閉鎖する（ＳＴ８）とともに、表示制御回路６２を介して表示部４を制御したり音声出力制御回路を介してスピーカを制御したりすることにより、利用者の通行を阻止する旨の案内（「区間外」、「有効期限外」、「無効券」などである旨の案内）を行う。
【００４８】
なお、ステップＳＴ２の第１無線通信処理ユニット１１０における無線通信処理において、券媒体から識別情報が読み取れなかった場合には、第２無線通信処理ユニット１２０における無線通信処理において券媒体の同一性を判断できないため、ＣＰＵ６０は、ドア制御回路６３を介してドア機構５を制御して改札通路を閉鎖する（ＳＴ８）とともに、表示制御回路６２を介して表示部４を制御したり音声出力制御回路を介してスピーカを制御したりすることにより、利用者の通行を阻止する旨の案内を行う。
【００４９】
また、ステップＳＴ４において、ＣＰＵ６０は、先に第１無線通信処理ユニット１１０による無線通信処理によって券媒体から読み取った識別情報と、後に第２無線通信処理ユニット１２０による無線通信処理によって券媒体から読み取った識別情報とが一致しなかったと判断したのに基づき（ＳＴ４、ＮＯ）、ドア制御回路６３を介してドア機構５を制御して改札通路を閉鎖する（ＳＴ８）とともに、表示制御回路６２を介して表示部４を制御したり音声出力制御回路を介してスピーカを制御したりすることにより、利用者の通行を阻止する旨の案内を行う。
【００５０】
さらに、ステップＳＴ５において、第２無線通信処理ユニット１２０による無線通信処理においても未了となった場合には、ＣＰＵ６０は、ドア制御回路６３を介してドア機構５を制御して改札通路を閉鎖する（ＳＴ８）とともに、表示制御回路６２を介して表示部４を制御したり音声出力制御回路を介してスピーカを制御したりすることにより、利用者の通行を阻止する旨の案内を行う。
【００５１】
上述した改札方法によれば、改札通路の上流側に配置された第１アンテナ部を介した第１無線通信処理ユニットによる無線通信処理未了が生じた際に、改札通路の下流側に配置された第２アンテナ部を介した第２無線通信処理ユニットによる無線通信を可能としている。そして、第１無線通信処理ユニット及び第２無線通信処理ユニットの少なくとも一方により券媒体から読み取られた改札情報に基づいて改札処理を行う。
【００５２】
このため、券媒体を所持する利用者は、第１無線通信処理ユニットによる無線通信処理未了が生じた場合であっても、改札通路内をさらに下流側に向かって通行し、第２無線通信処理ユニットによる無線通信を行うことができる。つまり、利用者は、同一改札通路内において上流側から下流側に向かって通行しながら、改札機側に対して無線通信を行う機会を２回得ることができる。したがって、利用者が改札通路内で立ち止まりまたは振り返り再び第１アンテナ部に券媒体を翳す必要がなくなり、流動阻害を改善することが可能となる。これにより、改札効率を向上することが可能となる。
【００５３】
また、第２無線通信処理ユニットによる無線通信処理を行うに際して、まず、先の無線通信処理未了となった券媒体との同一性を判断するため、第２無線通信処理ユニットが無線通信可能となったタイミングで改札通路の通行方向下流側から侵入してきた他の利用者が第２無線通信処理ユニットを介した改札処理を行おうとしても無効とし、また、改札通路内で先の利用者を追い越した他の利用者が第２無線通信処理ユニットを介した改札処理を行おうとしても無効とすることができる。
【００５４】
さらに、上述した改札方法におけるステップＳＴ２において、ＣＰＵ６０は、無線通信処理未了を生じたと判断したのに基づいて（ＳＴ２、ＮＯ）、表示制御回路６２を介して表示部４を制御したり音声出力制御回路を介してスピーカを制御したりすることにより、第２無線通信処理ユニット１２０による無線通信が可能である旨を報知するようにしても良い。
【００５５】
このような制御を行うことにより、無線通信処理未了を生じた券媒体を所持する利用者を改札通路の下流側に誘導することが可能となり、さらに、流動阻害を改善することが可能となる。
【００５６】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５７】
上述した実施の形態では、同一筐体における改札通路の上流側及び下流側に同一構成の無線通信処理ユニットをそれぞれ配置したが、少なくとも改札通路の上流側及び下流側に別個のアンテナ部を配置していれば良く、アンテナ部を介して受信したデータや送信するデータを処理する処理ユニットは単個であってもよい。また、同一筐体に２以上の複数の無線通信処理ユニットを配置しても良い。
【００５８】
また、上述した改札処理におけるステップＳＴ３において、第２通信処理ユニット１２０の第２アンテナ部１２３による無線通信を可能とするとともに、第１通信処理ユニット１１０の第１アンテナ部１１３による無線通信を不能とするように制御しても良い。このような制御を行うことにより、無線通信処理未了を生じた券媒体を所持する先行利用者の無線通信が完了する前に、後続利用者が第１無線通信処理ユニット１１０を介した改札処理を行おうとしても無効とすることができる。
【図面の簡単な説明】
【００５９】
【図１】図１は、この発明の一実施の形態に係る改札システムの構成を概略的に示す図である。
【図２】図２は、この発明の一実施の形態に係る改札機の外観を概略的に示す斜視図である。
【図３】図３は、図２に示した改札機の制御系の構成を概略的に示すブロック図である。
【図４】図４は、図２に示した改札機による改札処理対象としての無線式の券媒体の構成を概略的に示す図である。
【図５】図５は、図４に示した無線式の券媒体と図２に示した改札機との無線通信による信号のやりとりを説明するための図である。
【図６】図６は、図２に示した改札機に適用可能な改札方法を説明するためのフローチャートである。
【符号の説明】
【００６０】
１…筐体  ４…表示部  ５…ドア機構  ７…人間検知センサ  ６０…ＣＰＵ  ６１…メモリ部  ６２…表示制御回路  ６３…ドア制御回路  ６４…通過検知回路  ６５…表示器制御回路  ６６…音声出力制御回路  ６７…磁気処理ユニット  ６９…通信制御部  ８０…スピーカ  １００…改札機  １１０…無線通信処理ユニット  １２０…無線通信処理ユニット
【図１】
2008084178.tif 000003
【図２】
2008084178.tif 000004
【図３】
2008084178.tif 000005
【図４】
2008084178.tif 000006
【図５】
2008084178.tif 000007
【図６】
2008084178.tif 000008